(57)【要約】  分析用具２を装着して使用し、かつ分析の終了後に分析用具２を廃棄するための廃棄機構５を備えた分析装置において、廃棄機構５を、分析用具２の廃棄方向Ｄ１とは異なる方向から負荷を入力して分析用具２を廃棄するように構成した。分析用具２の端子に接触させるため端子を有するコネクタ部４を備えた分析装置１においては、廃棄機構４を、コネクタ部４の下方に配置する。
2007083773.tif 000002
【特許請求の範囲】
【請求項１】
分析用具を装着して使用し、かつ分析の終了後に上記分析用具を廃棄するための廃棄機構を備えた分析装置であって、
上記廃棄機構は、上記分析用具の廃棄方向とは異なる方向から負荷を入力して上記分析用具を廃棄するように構成されている、廃棄機構を備えた分析装置。
【請求項２】
電気化学的手法により試料の分析を行なうことが可能とされた分析用具を装着するためのものであり、かつ上記分析用具の端子に接触させるための端子を有するコネクタ部と、
分析の終了後に分析用具を廃棄するための廃棄機構と、
を備えた分析装置であって、
上記廃棄機構は、上記コネクタ部の下方に配置されている、廃棄機構を備えた分析装置。
【請求項３】
上記廃棄機構は、上記分析用具の廃棄方向とは異なる方向から負荷を入力して上記分析用具を廃棄するように構成されている、請求項２に記載の廃棄機構を備えた分析装置。
【請求項４】
上記廃棄機構は、上記分析用具に密着させるための接触部を有し、かつ待機位置と上記分析用具を廃棄可能な廃棄位置との間を往復移動可能とされた可動体を備えており、
上記分析用具は、上記接触部によって負荷が入力され、かつ上記可動体が上記待機位置から上記廃棄位置に移動するときに、上記可動体とともに移動させられるように構成されている、請求項１または３に記載の廃棄機構を備えた分析装置。
【請求項５】
上記分析用具は、上記接触部との間の摩擦抵抗により、上記接触部が密着した状態で上記可動体とともに移動させられるように構成されている、請求項４に記載の廃棄機構を備えた分析装置。
【請求項６】
上記接触部は、弾性部材により構成されている、請求項５に記載の廃棄機構を備えた分析装置。
【請求項７】
上記可動体は、上記待機位置に位置するときには上記接触部が上記分析用具とは接触しない一方で、上記待機位置から上記廃棄位置に移動する過程において、上記接触部が上記分析用具に接触するように構成されている、請求項４に記載の廃棄機構を備えた分析装置。
【請求項８】
上記接触部は、上記待機位置から上記廃棄位置に移動する間に、上方に位置変位させられる、請求項７に記載の廃棄機構を備えた分析装置。
【請求項９】
上記可動体に係合され、かつ上記可動体に対して相対動可能な係合部をさらに備えており、
上記可動体および上記係合部のうちの一方は、ガイド溝を有しており、それらのうちの他方は、上記ガイド溝に係合する凸部を有しており、
上記可動体を上記筐体に対して相対的に往復移動させたときに、上記ガイド溝の内部を上記凸部が移動し、上記接触部が上下方向に変位するように構成されている、請求項８に記載の廃棄機構を備えた分析装置。
【請求項１０】
上記接触部が上方に変位させられたときに、上記接触部とともに上記分析用具を挟み込む上記押圧部をさらに備えている、請求項８に記載の廃棄機構を備えた分析装置。
【請求項１１】
筐体に対して相対的に往復移動可能とされた操作体と、
上記操作体の往復運動を、上記可動体の往復運動に変換するためのリンク部材と、
をさらに備えている、請求項４に記載の廃棄機構を備えた分析装置。
【請求項１２】
上記操作体および上記可動体は、複数の歯を有するラック部を備えており、
上記リンク部材は、上記操作体および上記可動体のラック部の複数の歯に噛合する歯車であり、かつ、
上記操作体を移動させたときに、上記可動体が上記操作体とは反対方向に移動するように構成されている、請求項１１に記載の廃棄機構を備えた分析装置。
【請求項１３】
上記歯車は、水平方向に回転するように構成されている、請求項１２に記載の廃棄機構を備えた分析装置。
【請求項１４】
上記操作体は、上記待機位置から上記廃棄位置に向かう方向に付勢されている、請求項１１に記載の廃棄機構を備えた分析装置。
【請求項１５】
上記操作体を上記待機位置に位置させるためのストッパ部をさらに備えている、請求項１４に記載の廃棄機構を備えた分析装置。
【請求項１６】
上記廃棄機構は、上記分析用具の側面から負荷を入力して上記分析用具を廃棄するように構成されている、請求項１または３に記載の廃棄機構を備えた分析装置。
【請求項１７】
上記廃棄機構は、上記分析用具に密着させるための接触部を有し、かつ回転可能な回転体を備えており、
上記分析用具は、上記接触部によって負荷が入力され、かつ上記回転体が回転することにより移動させられるように構成されている、請求項１６に記載の廃棄機構を備えた分析装置。
【請求項１８】
上記廃棄機構は、上記回転体を回転させるために操作される操作体をさらに備えている、請求項１７に記載の廃棄機構を備えた分析装置。
【請求項１９】
上記廃棄機構は、上記操作体に入力された負荷を上記回転体の回転体の回転力として伝達するためのリンク部材をさらに備えている、請求項１８に記載の廃棄機構を備えた分析装置。
【請求項２０】
上記分析用具は、上記接触部を係合させるための係合部を備えている、請求項１７に記載の廃棄機構を備えた分析装置。
【請求項２１】
分析用具を装着して使用し、かつ分析の終了後に上記分析用具を廃棄するための廃棄機構を備えた分析装置であって、
上記廃棄機構は、上記分析用具に密着させるための接触部を有し、かつ待機位置と上記分析用具を廃棄可能な廃棄位置との間を往復移動可能とされた可動体を備えており、
上記分析用具は、上記接触部によって負荷が入力され、かつ上記可動体が上記待機位置から上記廃棄位置に移動するときに、上記可動体とともに移動させられるように構成されている、廃棄機構を備えた分析装置。
【発明の詳細な説明】
【技術分野】
【０００１】
本発明は、分析用具を装着して使用し、かつ分析の終了後に分析用具を廃棄するための廃棄機構を備えた分析装置に関する。
【背景技術】
【０００２】
従来より、血糖値を測定する方法としては、分析用具を使用する方法がある。その一例として、持ち運び可能な携帯型の血糖値測定装置に対してユーザが分析用具を装着し、その分析用具に対して血液を点着することにより、血糖値測定装置において自動的に血糖値を測定する方法がある【０００３】
血糖値を測定するための原理としては、たとえば電気化学的手法を利用するもの、あるいは光学的手法を利用するものがある。血糖値測定において電気化学的手法を利用する場合、分析用具は電圧を印加するための電極を備えたものとして構成される一方で、分析装置測定装置は分析用具の電極に電圧を印加するとともに、そのときの応答電流を測定できるように構成される。これに対して、血糖値測定において光学的手法を利用する場合、分析用具は血糖値の濃度に応じた呈色を示す試薬部を備えたものとされる一方で、血糖値測定装置としては試薬部の呈色の程度を測光するための測光機構を備えたものとされる。【０００４】
その一方で、血糖値測定装置に装着した分析用具に触れることなく分析用具を取り外すことができるように、血糖値測定装置として、たとえば図２７に示したように分析用具を廃棄するための機構を備えたものも提案されている（たとえば特許文献１，２参照）【０００５】
同図に示した血糖値測定装置９は、分析用具９０を用いた電気化学的手法を利用して試料の分析を行なうように構成されたものであり、コネクタ部９１および操作ノブ９２を備えている。コネクタ部９１は、分析用具９０を装着するためのものであるとともに、分析用具９０の電極（図示略）に電圧を印加するとともに、そのときの応答電流を測定するためのものである。操作ノブ９２は、コネクタ部９１に装着された分析用具９０を廃棄するために利用されるものであり、Ｄ１，Ｄ２方向にスライド可能とされている。【０００６】
血糖値測定装置９では、挿入口９３を介して分析用具９０を装着することにより、コネクタ部９１の端子９４が分析用具９０の電極（図示略）に接触する。この状態においては、コネクタ部９１によって分析用具９０の電極に対する電圧の印加、および応答電流の測定が可能である。そして、血糖値測定装置９では、先の応答電流に基づいて分析用具９０に供給された血液のグルコース濃度（血糖値）を測定することができる。【０００７】
一方、血糖値の測定が終了した場合には、操作ノブ９２をＤ１方向に移動させることにより、血糖値測定装置９から分析用具９０を廃棄することができる。すなわち、操作ノブ９２をＤ１方向に移動させることにより、操作ノブ９２の干渉部９５が分析用具９０の端面９６を押圧するため、操作ノブ９２のＤ１方向への移動により、分析用具９０がＤ１方向に押し出される。【０００８】
しかしながら、血糖値測定装置９では、操作ノブ９２の干渉部９５によって分析用具９０の端面９６を押圧する構成を採用しているため、コネクタ部９１および筐体９８は、干渉部９５の移動を許容できる構成としなければならない。【０００９】
そのため、コネクタ部９１には、干渉部９５の移動経路を確保するためのスリット９７を設ける必要がある。その結果、コネクタ部９１として、廃棄機構を備えていない血糖値測定装置におけるコネクタ部を、設計変更することなくそのまま転用するこができす、設計変更を余儀なくされてしまう。また、コネクタ部９１にスリット９７を設ける場合には、コネクタ部９１が大型化する。そればかりか、スリット９７を設ける場合には、コネクタ部９１の構成要素がレイアウト上の制約を受けるため、この点においても、設計の面で問題があるとともに、コネクタ部９１の大型化を招来してしまう。【００１０】
また、操作ノブにより分析用具を廃棄する構成を、光学的手法を利用した血糖値測定装置に採用する場合には、筐体９８に対して、干渉部９５の移動を許容するためのスリット９９を設ける必要がある。そのため、筐体９８のスリット９８を介して装置内部に外部光が入射しやすくなり、測光機構での測光結果が外部光の影響を受ける虞がある。このような不具合を防止するためには、スリット９８を介しての外部光の入射を制限するための手段を設ける必要があり、装置構成が複雑化するばかりか、装置の大型化およびコスト上昇を招来してしまう。【００１１】
【特許文献１】特開２００３−１１４２１３号公報
【特許文献２】特開２００１−３３４１８号公報
【発明の開示】
【発明が解決しようとする課題】
【００１２】
本発明は、廃棄機構を設けることによる装置の大型化および製造コストの上昇を抑制しつつ、試料分析を適切に行なえるようにすることを課題としている。
【課題を解決するための手段】
【００１３】
本発明の第１の側面により提供される分析装置は、分析用具を装着して使用し、かつ分析の終了後に上記分析用具を廃棄するための廃棄機構を備えた分析装置であって、上記廃棄機構は、上記分析用具の廃棄方向とは異なる方向から負荷を入力して上記分析用具を廃棄するように構成されている。【００１４】
本発明の第２に側面により提供される分析装置は、電気化学的手法により試料の分析を行なうことが可能とされた平板状の分析用具を装着するためのものであり、かつ上記分析用具の端子に接触させるため端子を有するコネクタ部と、分析の終了後に分析用具を廃棄するための廃棄機構と、を備えた分析装置であって、上記廃棄機構は、上記コネクタ部の下方に配置されている。この場合の廃棄機構は、分析用具の廃棄方向とは異なる方向から負荷を入力して分析用具を廃棄するように構成するのが好ましい。【００１５】
廃棄機構は、たとえば分析用具に密着させるための接触部を有し、かつ待機位置と分析用具を廃棄可能な廃棄位置との間を往復移動可能とされた可動体を備えたものとして構成される。この場合、分析用具は、接触部によって負荷が入力され、かつ可動体が上記待機位置から上記廃棄位置に移動するときに、可動体とともに移動させられる。【００１６】
廃棄機構は、分析用具を、接触部との間の摩擦抵抗により、接触部が密着した状態で可動体の移動により移動させるように構成される。この場合の接触部は、たとえば弾性部材により構成される。【００１７】
可動体は、たとえば上記待機位置に位置するときには接触部が分析用具とは接触しない一方で、上記待機位置から上記廃棄位置に移動する過程において、接触部が分析用具に接触するように構成される。この場合の接触部は、たとえば上記待機位置から上記廃棄位置に移動する間に、上方に位置変位するように構成される。【００１８】
本発明の分析装置は、可動体に係合され、かつ可動体に対して相対動可能な係合部をさらに備えている。この場合、可動体および係合部のうちの一方は、たとえばガイド溝を有しており、それらのうちの他方は、ガイド溝に係合する凸部を有するものとされ、可動体を筐体に対して相対的に往復移動させたときに、ガイド溝の内部を凸部が移動し、接触部が上下方向に変位するように構成される。【００１９】
本発明の分析装置は、たとえば接触部が上方に変位させられたときに、接触部とともに分析用具を挟み込む押圧部をさらに備えたものとされる。【００２０】
本発明分析装置は、筐体に対して相対的に往復移動可能とされた操作体と、操作体の往復運動を、可動体の往復運動に変換するためのリンク部材と、をさらに備えたものとして構成することもできる。【００２１】
操作体および可動体は、たとえば複数の歯を有するラック部を備えたものとされ、リンク部材は、操作体および可動体のラック部の複数の歯に噛合する歯車として構成される。この、場合には、操作体を移動させたときに、可動体が操作体とは反対方向に移動する。【００２２】
歯車は、水平方向に回転するように構成するのが好ましい。【００２３】
操作体は、上記待機位置から上記廃棄位置に向かう方向に付勢しておくのが好ましい。この場合、上記分析装置は、操作体を上記待機位置に位置させるためのストッパ部をさらに備えたものとして構成することもできる。【００２４】
廃棄機構は、分析用具の側面から負荷を入力して分析用具を廃棄するように構成してもよい。この場合の廃棄機構は、たとえば分析用具に密着させるための接触部を有し、かつ回転可能な回転体を備えたものとされ、分析用具は、接触部によって負荷が入力され、かつ回転体が回転することにより、移動させられるように構成される。【００２５】
廃棄機構は、たとえば回転体を回転させるために操作される操作体をさらに備えている。廃棄機構はさらに、操作体に入力された負荷を回転体の回転体の回転力として伝達するためのリンク部材をさらに備えていてもよい。【００２６】
分析用具としては、たとえば接触部を係合させるための係合部を備えたものを使用することができる。【００２７】
本発明の第３の側面により提供される分析装置は、分析用具を装着して使用し、かつ分析の終了後に上記分析用具を廃棄するための廃棄機構を備えた分析装置であって、上記廃棄機構は、上記分析用具に密着させるための接触部を有し、かつ待機位置と上記分析用具を廃棄可能な廃棄位置との間を往復移動可能とされた可動体を備えており、上記分析用具は、上記接触部によって負荷が入力され、かつ上記可動体が上記待機位置から上記廃棄位置に移動するときに、上記可動体とともに移動させられるように構成されている。
【図面の簡単な説明】
【００２８】
【図１】本発明の第１の実施の形態に係る分析装置を示す全体斜視図である。
【図２】図１に示した分析装置の一部を分解して示した斜視図である。
【図３】図１に示した分析装置の要部を示す断面図である。
【図４】図１に示した分析装置の要部を示す断面図である。
【図５】図１に示した分析装置における廃棄機構の分解斜視図である。
【図６】図５に示した廃棄機構における可動体を示す平面図である。
【図７】図５に示した廃棄機構における固定体の要部を示す断面図である。
【図８】図１に示した分析装置に使用するバイオセンサの一例を示す全体斜視図である。
【図９】図８のIX−IX線に沿った断面図である。
【図１０】図８に示したバイオセンサの分解斜視図である。
【図１１】図１に示した分析装置の動作を説明するための図３に相当する断面図である。
【図１２】図１に示した分析装置の動作を説明するための図４に相当する断面図である。
【図１３】図１に示した分析装置の動作を説明するための図７に相当する断面図である。
【図１４】図１に示した分析装置の動作を説明するための要部断面図である。
【図１５】図１に示した分析装置の動作を説明するための図７に相当する断面図である。
【図１６】図１に示した分析装置の動作を説明するための要部断面図である。
【図１７】図１に示した分析装置の動作を説明するための図７に相当する断面図である。
【図１８】図１に示した分析装置の動作を説明するための要部断面図である。
【図１９】本発明の第２の実施の形態に係る分析装置を示す全体斜視図である。
【図２０】図１９に示した分析装置の要部を示す斜視図である。
【図２１】図１９に示した分析装置の要部を示す平面図である。
【図２２】図２１のXXII−XXII線に沿う断面図である。
【図２３】図２１のXXIII−XXIII線に沿う断面図である。
【図２４】図１９に示した分析装置の動作を説明するための要部を示す平面図である。
【図２５】図１９に示した分析装置を他の形態の分析用具に適用した例を示す平面図である。
【図２６】本発明の第３の実施の形態に係る分析装置の要部を示す断面図である。
【図２７】従来の分析装置における廃棄機構を説明するための要部断面図である。
【符号の説明】
【００２９】
１，８，８′  血糖値測定装置（分析装置）
２，２′，２″  バイオセンサ（分析用具）
２Ａ  （バイオセンサの）裏面（分析用具の片面）
２Ｂ′  凹部
２４Ａ  （作用極の）端部（分析用具の端子）
２５Ａ  （対極の）端部（分析用具の端子）
２７  凹部（係合部）
３  筐体
３６  ストッパ部
３８  （筐体の）フランジ部（押圧部）
４  コネクタ部
４０  （コネクタ部）端子
５０，８５  操作体
５２  （操作体の）ラック部
５４  （操作体のラック部の）歯
６０  可動体
６２  （可動体の）ラック部
６６  （可動体のラック部の）歯
６４  （可動体の）係合ピン
７１  歯車（リンク部材）
７２  ガイド部（係合部）
７６  （ガイド部の）ガイド溝
８２  廃棄機構
８７  （廃棄機構の）リンクアーム（リンク部材）
８８  （廃棄機構の）回転体
８８Ｃ  （回転体の）接触部
８０′  廃棄機構
８１′  （廃棄機構の）可動体
８３′  （廃棄機構の）接触部
【発明を実施するための最良の形態】
【００３０】
以下、本発明に係る第１ないし第３の実施の形態について、血糖値測定装置を例にとって、図面を参照しつつ説明する。【００３１】
まず、本発明の第１の実施の形態について、図１ないし図１８を参照しつつ説明する。【００３２】
図１ないし図４に示した血糖値測定装置１は、バイオセンサ２を用いて電気化学的手法により試料の分析を行うためのものであり、持ち運びが可能な携帯型として構成されている。この血糖値測定装置１は、筐体３、コネクタ部４および廃棄機構５を備えている。【００３３】
筐体３は、血糖値測定装置１の外観形状を規定するとともにコネクタ部４および廃棄機構５をはじめとする各種の要素を収容するためのものである。この筐体３は、ケーシング３０およびカバー３１を備えており、これらによって中空に形成されている。【００３４】
ケーシング３０は、上部開口３２を有する箱状に形成されており、端部３０Ａに設けられたステージ３３および開口部３４、ならびに内底面に設けられた係止片３５およびストッパ部３６を有している。【００３５】
ステージ３３は、後述する廃棄機構５における固定体７０のガイド部７３が保持される部分であるとともに、後述するカバー３１のフランジ部３８が載置される部分である。開口部３４は、後述する廃棄機構５における操作体５０の移動を許容し、かつ操作体５０を露出させるためのものである。この開口部３４には、後述する廃棄機構５における操作体５０のガイドフランジ５１（図５参照）をスライドさせるための切り込み部３７が設けられている。【００３６】
係止片３５は、コイルバネ１０の端部１１を係止するためのものである。ストッパ部３６は、後述する操作体５０のＤ１方向への移動を制限するためのものであり、操作体５０のフック部５３に干渉可能な位置に設けられている。【００３７】
カバー３１は、ケーシング３０の上部開口３２を閉鎖するためのものであり、全体として板状に形成されている。このカバー３１は、ケーシング３０のステージ３３に密着させるためのフランジ部３８を有している。このフランジ部３８には、切欠３８Ａが設けられている。この切欠３８Ａは、血糖値測定装置１にバイオセンサ２を装着する際に利用される挿入口３９を規定するものである。【００３８】
コネクタ部４は、バイオセンサ２が装着されるものであり、一対の端子４０（図面上は１つ）を有している。これらの端子４０は、コネクタ部４にバイオセンサ２を装着したときに、バイオセンサ２の作用極２４および対極２５の端部２４Ａ，２５Ａ（図８参照）に接触し、これらの電極２４，２５に電圧を印加するとともに、そのときの応答電流値を測定するためのものである。端子４０は、板バネとして構成されており、コネクタ部４にバイオセンサ２を装着したときにバイオセンサ２に押圧力を作用させ、コネクタ部４においてバイオセンサ２を適切に保持させる役割をも果している。【００３９】
図３ないし図５に示したように、廃棄機構５は、血糖値の測定終了後のバイオセンサ２を血糖値測定装置１から廃棄するためのものであり、コネクタ部４の下方に配置されている。この廃棄機構５は、操作体５０、可動体６０および固定体７０を備えている。【００４０】
操作体５０は、可動体６０を移動させるために操作される部分であり、その一部が筐体３（ケーシング３０）の開口部３４から露出した状態において、筐体３に対してＤ１，Ｄ２方向に往復移動可能とされている。この操作体５０は、ガイドフランジ５１、ラック部５２および一対のフック部５３を有している。【００４１】
ガイドフランジ５１は、操作体５０の移動経路を規定するためのものであり、筐体３（ケーシング３０）における開口部３４の切り込み部３７にガイドされつつ移動するものである。【００４２】
ラック部５２は、可動体６０に動力を伝達するために利用される部分であり、複数の歯５４を有している。複数の歯５４は、歯車７１を介して、後述する可動体６０におけるラック部６２の歯６６に連結されている。【００４３】
各フック部５３は、コイルバネ１０の端部１２を係止するためものである。コイルバネ１０のもう一方の端部１１は、上述のようにケーシング３０に設けられた係止片３５に係止されている。フック部５３はまた、ケーシング３０のストッパ部３６に干渉しうるものである。すなわち、操作体５０の待機状態においては、フック部５３がストッパ部３６に干渉しているとともに、コイルバネ１０は自然状態よりも若干伸ばされている。その結果、操作体５０は、コイルバネ１０によってＤ１方向に向けて付勢されている。【００４４】
図３ないし図６に示したように、可動体６０は、操作体５０の運動に連動してＤ１，Ｄ２方向に移動させられるものであり、Ｄ１方向に移動することによってコネクタ部４に装着されたバイオセンサ２を移動させるものである。この可動体６０は、押圧部６１、ラック部６２、および一対の板バネ部６３を有している。【００４５】
押圧部６１は、バイオセンサ２を廃棄するときに、コネクタ部４に装着したバイオセンサ２の裏面２Ａに接触させるためのものであり、待機状態においてカバー３１におけるフランジ部３８の直下に位置している一方で、廃棄時に筐体３から完全に突出した位置に移動させられるものである。この押圧部６１はさらに、Ｄ１，Ｄ２方向に移動するときに上下方向に変位可能なように構成されており、係合ピン６４およびパッド部６５を備えたものとされている。【００４６】
係合ピン６４は、後述する固定体７０のガイド溝７６に係合されるものであり、可動体６０のＤ１，Ｄ２方向への移動により、ガイド溝７６の内部を移動するものである（図７参照）。詳細は後述するが、係合ピン６４がガイド溝７６を移動することにより、押圧部６１（パッド部６５）が上下方向に変位させられる。【００４７】
パッド部６５は、バイオセンサ２を廃棄するときにバイオセンサ２の裏面２Ａに密着させるための部分である。このパッド部６５は、待機状態のときに、カバー３１のフランジ部３８の直下において、フランジ部３８との間にバイオセンサ２の厚み寸法よりも大きな隙間を介した状態で配置されている。すなわち、パッド部６５は、待機状態において、フランジ部３８との間に形成される隙間に、バイオセンサ２を挿通できる位置に配置されている。パッド部６５はさらに、弾性変形可能とされており、たとえばエラスマや発泡体によって形成されている。すなわち、パッド部６５を上方に変位させた場合、バイオセンサ２がカバー３１のフランジ部３８に押し付けられてパッド部６５が弾性変形する。これにより、パッド部６５がバイオセンサ２に密着する（図１４（ｂ）参照）。そのため、パッド部６５をバイオセンサ２に密着させた状態で可動体６０（パッド部６５）をＤ１方向に移動させた場合には、パッド部６５とバイオセンサ２との間に生じる摩擦抵抗によりバイオセンサ２を可動体６０（パッド部６５）とともにＤ１方向に移動させることができる。【００４８】
ラック部６２は、可動体６０を移動させるための負荷を入力するために利用されるものであり、複数の歯６６を有している。複数の歯６６は、歯車７１を介して操作体５０の複数の歯５４に連結されている。【００４９】
一対の板バネ部６３は、押圧部６１とラック部６２との間を繋ぐものであり、バネ性を有している。すなわち、各板バネ６３がバネ性を有しているために、ラック部６２に対する押圧部６１の上下方向への変位が許容されている。【００５０】
固定体７０は、歯車７１を保持するとともに、可動体６０における押圧部６１の移動経路を規定するためのものである。この固定体７０は、ホルダ部７２およびガイド部７３を備えている。【００５１】
ホルダ部７２は、歯車７１を回転可能に保持するためのものであり、互いに対面する一対の板状部７４，７５を有している。各板状部７４，７５は、歯車７１の厚み寸法（軸７１Ａを除く）よりも若干大きな隙間を形成するように、水平方向に広がっている。これらの板状部７４，７５には、歯車７１の軸７１Ａが挿通される貫通孔７４Ａ，７５Ａが設けられている。このホルダ部７２においては、歯車７１は、歯７１Ｂがホルダ部７２の側方に突出するとともに、水平方向に回転可能なように保持されており、ホルダ部７２から突出した部分において、操作体５０および可動体６０におけるラック部５２，６２の歯５４，６６に噛合している。そのため、操作体５０を固定体７０に対して相対移動させた場合には、可動体６０は、操作体５０とは反対方向に移動させられる。【００５２】
図７に示したように、ガイド部７３は、可動体６０がＤ１，Ｄ２方向に移動するときに押圧部６１を上下方向に変位させるためのものであり、ガイド溝７６を有している。このガイド溝７６は、上述のように、可動体６０の係合ピン６４を係合させるためのものであり、低位傾斜溝部７７、水平溝部７８および高位傾斜溝部７９を有しており、これらの溝部７７，７８，７９が一連に繋がっている。係合ピン６４は、操作体５０および可動体６０の待機状態においては、低位傾斜溝部７７に位置している。その一方で、待機状態から操作体５０をＤ２方向に移動させて可動体６０（押圧部６１）をＤ１方向に移動させた場合には、係合ピン６４は、低位傾斜溝部７７、水平溝部７８および高位傾斜溝部７９を順次移動する。そのため、係合ピン６４の位置は、操作体５０のＤ２方向への移動（可動体６０のＤ１方向への移動）により、上方へ変位する。その結果、押圧部６１は、操作体５０のＤ２方向への移動（可動体６０のＤ１方向への移動）により、上方へ変位させられる。先とは逆に、操作体５０をＤ１方向に移動させて可動体６０（押圧部６１）をＤ２方向に移動させた場合には、押圧部６１は下方へ変位させられる。【００５３】
一方、図８から図１０に示したように、血糖値測定装置１に装着して使用するバイオセンサ２は、使い捨てとして構成されており、全体として平板状の形態に形成されている。このバイオセンサ２は、略長矩形状の基板２０に対して、スペーサ２１を介してカバー２２を接合した構成を有しており、各要素２０〜２２により規定された基板２０の長手方向に延びるキャピラリ２３を有している。【００５４】
スペーサ２１は、基板２０の上面２０Ａからカバー２２の下面２２Ａまでの距離、すなわちキャピラリ２３の高さ寸法を規定するためのものであり、たとえば両面テープにより構成されている。このスペーサ２１には、キャピラリ２３の幅寸法を規定するためスリット２１Ａが設けられている。【００５５】
カバー２２は、キャピラリ２３の内部の気体を外部に排気するための排気口２２Ｂを有している。このカバー２２は、たとえばビニロンや高結晶化ＰＶＡなどの濡れ性が高い熱可塑性樹脂により形成されている。【００５６】
基板２０は、バイオセンサ２を廃棄するときに廃棄機構５における押圧部６１（パッド部６５）を密着させるバイオセンサ２の裏面２Ａを構成するものであり、絶縁樹脂材料によりカバー２２よりも大きな形状に形成されている。この基板２０の裏面（バイオセンサ２の裏面）２Ａは、押圧部６１におけるパッド部６５を接触させたときの摩擦抵抗が大きくなるように粗面化処理しておくのが好ましい。基板２０の上面２０Ａには、作用極２４、対極２５、および試薬層２６が形成されている。【００５７】
作用極２４および対極２５は、キャピラリ２３に導入された血液に電圧を印加するためのものであり、端部２４Ａ，２５Ａが、カバー２２に覆われずに、基板２０の端部２０Ｂにおいて露出している。これらの端部２４Ａ，２５Ａは、バイオセンサ２を血糖値測定装置１に装着したときに、コネクタ部４の端子４０（図３参照）に接触させられる部分である。作用極２４および対極２５の端部２４Ｂ，２５Ｂは、基板２０の短手方向に延びており、その一部がキャピラリ２３の内部に位置している。試薬層２６は、作用極２４および対極２５の端部２４Ｂ，２５Ｂを一連に覆うように設けられており、キャピラリ２３の内部に配置されている。この試薬層２６は、たとえば電子伝達物質（[Ｒｕ(ＮＨ3)6]Ｃｌ3やＫ3[Ｆｅ(ＣＮ)6]などの錯体）および酸化還元酵素（グルコースオキシダーゼ（ＧＯＤ）やグルコースデヒドロゲナーゼ（ＧＤＨ））を含んでおり、血液に対して容易に溶解する多孔質の固体状に形成されている。【００５８】
キャピラリ２３は、毛細管現象を利用して血液を排気口２２Ｂに向けて移動させるとともに、導入された血液を保持するためのものである。キャピラリ２３の内部に血液を導入した場合には、試薬層２６が溶解させられ、キャピラリ２３の内部に電子伝達物質、酸化還元酵素および血液（グルコース）を含む液相反応系が構築される。【００５９】
次に、血糖値測定装置１を用いた血糖値測定動作およびバイオセンサ２の廃棄動作について説明する。【００６０】
図１１および図１２に示したように、血糖値測定装置１を用いて血糖値測定を行う場合には、まず血糖値測定装置１にバイオセンサ２を装着する。血糖値測定装置１に対するバイオセンサ２の装着は、可動体６０のパッド部６５とカバー３１のフランジ部３８との間の隙間を介して、バイオセンサ２をコネクタ部４に差し込むことにより行なわれる。このとき、バイオセンサ２における作用極２４および対極２５の端部２４Ａ，２５Ａ（図８参照）がコネクタ部４の端子４０と接触し、端子４０のバネ性によってバイオセンサ２に対して下方に向けた押圧力が作用させられる。これにより、バイオセンサ２は、コネクタ部４において適切に保持された状態とされる。また、コネクタ部４においては、端子４０が作用極２４と対極２５に接触することにより、それらの電極２４，２５との間に電圧が印加される。【００６１】
その一方、バイオセンサ２に対して血液を供給することにより、血糖値測定装置１において血糖値の測定が行なわれる。より具体的には、バイオセンサ２に対する血液の供給により、キャピラリ２３が血液によって満たされ、試薬層２６が溶解して液相反応系が構築される（図９参照）。このとき、作用極２４と対極２５との間に電圧が印加されているために液相反応系に対しても電圧が印加される。これにより、酸化還元酵素によって血液中のグルコースが還元され（電子が取り出され）、その電子が電子伝達物質を介して作用極２４の端部２４Ｂに供給される。作用極２４に供給された電子の量は、コネクタ部４の端子４０を介して応答電流として測定される。血糖値測定装置１においては、先の応答電流に基づいて、グルコース濃度（血糖値）を演算される。【００６２】
血糖値の測定が終了した場合には、バイオセンサ２を廃棄する必要があるが、血糖値測定装置１においては、待機状態にある操作体５０に対して、Ｄ２方向に向けた負荷を作用させることによりバイオセンサ２が廃棄される。【００６３】
操作体５０をＤ２方向に移動させた場合には、ラック部５２のＤ２方向への移動により歯車７１が回転させられ、可動体６０がＤ２方向へ移動させられる。可動体６０をＤ２方向へ移動させた場合には、押圧部６１の係合ピン６４がガイド溝７６の内部を移動する（図７参照）。【００６４】
図１３に示したように、ガイド溝７６においては、まず係合ピン６４が低位傾斜溝部７７を移動する。この過程においては、係合ピン６４が上方変位させられる。これにより、図１４に示したように、パッド部６５を含めた押圧部６１の全体が上方に変位し、パッド部６５がバイオセンサ２の裏面２Ａに接触させられる。このとき、バイオセンサ２はケース３１のフランジ部３８に押し付けられるとともに、パッド部６５が弾性変形可能とされているために、パッド部６５が弾性変形することによってパッド部６５がバイオセンサ２の裏面２Ａに適切に密着させられる。【００６５】
次いで、係合ピン６４は、図１５に示したように水平溝部７８を移動する。この過程においては、図１６に示したように、係合ピン６４ひいてはパッド部６５を含めた押圧部６１の全体がＤ１方向に水平に移動し、最終的には、パッド部６５が筐体３から完全に突出した状態となる。バイオセンサ２の裏面２Ａには、パッド部６５が密着させられているために、バイオセンサ２は、パッド部６５とバイオセンサ２の裏面２Ａに生じる摩擦力によって、パッド部６５とともにＤ１方向に移動させられる。また、バイオセンサ２の裏面２Ａを粗面化処理しておけば、バイオセンサ２の裏面２Ａとパッド部６５との間に生じる摩擦力が大きくなるために、バイオセンサ２をより適切に押圧部６１によって移動させることができる。その結果、バイオセンサ２がコネクタ部４の端子４０から離脱し、バイオセンサ２に作用していた押圧力が解除され、バイオセンサ２がコネクタ部４に対してフリーな状態となる。【００６６】
さらに、係合ピン６４は、図１７に示したように高位傾斜溝部７９を移動する。この過程においては、図１８に示したように係合ピン６４ひいてはパッド部６５を含めた押圧部６１の全体が、筐体３の外部において上方に変位する。これにより、バイオセンサ２が上方に変位させられる一方で、バイオセンサ２がカバー３１のフランジ部３８に干渉して回転する。その結果、バイオセンサ２の裏面２Ａとパッド部６５との密着状態が解除される。【００６７】
そして、図３および図４から分かるように、操作体５０に作用しているＤ２方向への負荷を解除すれば、コイルバネ１０の弾発力によって操作体５０がＤ１方向に移動してもとの位置に復帰する。このとき、操作体５０のフック部５３が筐体３（ケーシング３０）のストッパ部３６に干渉することで操作体５０のＤ１方向への移動が制限されるため、操作体５０は元の位置に適切に復帰させられる。【００６８】
その一方で、操作体５０がＤ１方向に移動した場合には、押圧部６１を含めた可動体６０の全体がＤ２方向に移動する。このとき、パッド部６５を含めた押圧部６１が下方に変位しつ可動体６０が元の位置に復帰するため、バイオセンサ２とパッド部６５との間の接触状態は完全に解除される。その結果、バイオセンサ２は、血糖値測定装置１に対して完全にフリーな状態となるために、たとえばゴミ箱の直上において、血糖値測定装置１を押圧部６１が下側位置するようにすれば、バイオセンサ２が血糖値測定装置１から離脱してゴミ箱に収容される。【００６９】
血糖値測定装置１では、廃棄機構５がコネクタ部４の下方に配置され、バイオセンサ２の裏面２Ａから負荷を入力してバイオセンサ２を廃棄するように構成されている。そのため、図２７を参照して説明した従来の血糖値測定装置９のように、操作ノブ９２の干渉部９５の移動を許容するためのスリット９７を、コネクタ部４に設ける必要はない。その結果、廃棄機構を備えていない血糖値測定装置における採用されていたコネクタ部を、設計変更することなく、そのまま転用することができる。これにより、設計変更に起因する製造コストの上昇を回避することができる。また、コネクタ部４にスリット９７（図１８参照）を設ける必要がなくなれば、コネクタ部４が設けるためのスペースをコネクタ部４に確保する必要もなくなり、さらには、コネクタ部４の構成要素がスリット９７によってレイアウト上の制約を受けることもないため、コネクタ部４が大型化することを回避することができる。【００７０】
上述した血糖値測定装置は、先に説明した構成には限定されず、種々に設計変更可能である。たとえば可動体６０をＤ１方向に移動させる構成、あるいは上下方向に変位させる構成は、先に説明した血糖値測定装置１において採用されていた構成には限定されない。【００７１】
可動体６０は、操作体５０を介することなく、Ｄ１方向に移動することによりバイオセンサ２を廃棄するように構成してもよく、また操作体５０から可動体６０に対する負荷を入力は歯車７１に限らず、カムあるいはロッドなどの回転を利用して行なうようにしてもよい。また、固定体７０に係合ピンを設ける一方で、可動体６０にガイド溝を設けることにより、押圧部６１を上下方向に変位させる構成を採用することもできる。【００７２】
次に、本発明の第２の実施の形態について、図１９ないし図２４を参照しつつ説明する。【００７３】
図１９ないし図２１に示した血糖値測定装置８は、バイオセンサ２′を用いて電気化学的手法により試料の分析を行うためのものであり、持ち運びが可能な携帯型として構成されている。この血糖値測定装置８は、筐体８０、コネクタ部８１および廃棄機構８２を備えている。【００７４】
筐体８０は、血糖値測定装置８の外観形状を規定するとともにコネクタ部８１および廃棄機構８２をはじめとする各種の要素を収容するためのものである。この筐体８０は、ケーシング８３およびカバー８４を備えており、これらによって中空に形成されている。【００７５】
ケーシング８３は、後述する廃棄機構８２の操作体８５および回転体８８を回転可能に支持する役割を有するものである。このケーシング８３は、上部開口を有する箱状に形成されており、内底面に設けられたガイド８３Ａ、係合部８３Ｂおよびガイド溝８３Ｃを有している。【００７６】
図２２に示したように、ガイド８３Ａは、後述する廃棄機構８２における駆動ベース８６の移動経路を規定するためのものである。このガイド８３Ａは、溝部８３Ａａおよびフランジ部８３Ａｂを有している。溝部８３Ａａは、後述する駆動ベース８６のレール８６Ａを移動させるための部分であり、フランジ部８３Ａｂは、後述する駆動ベース８６のフック８６Ｂを係合させるための部分である。【００７７】
図２０および図２１に示したように、係合部８３Ｂは、後述する廃棄機構８２のコイルバネ８９Ｂの端部を係止するためのものである。【００７８】
ガイド溝８３Ｃは、後述する廃棄機構８２の回転体８８のリンク軸８８Ｂの移動経路を規定するためのものである。【００７９】
図１９に示したように、カバー８４は、ケーシング８３の上部開口を閉鎖するとともに、ケーシング８３とともに後述する廃棄機構８２の操作体８５および回転体８８を回転可能に支持する役割を有するものである。ためのものである。【００８０】
図２１および図２３に示したように、コネクタ部８１は、バイオセンサ２′が装着されるものであり、上述した血糖値測定装置１のコネクタ部４（図２など参照）と同様な機能および構成を有している。【００８１】
図２０、図２１および図２３に示したように、廃棄機構８２は、血糖値の測定終了後のバイオセンサ２′を血糖値測定装置８から廃棄するためのものであり、全体としてコネクタ部８１の下方に配置されている。この廃棄機構８２は、操作体８５、駆動ベース８６、リンクアーム８７および回転体８８を備えている。【００８２】
操作体８５は、回転体８８を回転させるために操作される部分であり、その一部が筐体８０から露出している。この操作体８５は、係合ピン８５Ａを有しており、係合ピン８５Ａを中心として、筐体８０（ケーシング８３およびカバー８４）に対して回転可能に固定されている。【００８３】
駆動ベース８６は、操作体８５から入力された負荷を回転体８８に伝達するためものであり、図中のＤ１，Ｄ２方向に往復移動可能とされている。図２２に示したように、駆動ベース８６は、レール８６Ａおよびフック８６Ｂを有している。レール８６Ａは、ガイド８３Ａの溝部８３Ａａを移動する部分であり、フック８８Ｂはガイド８３Ａのフランジ部８３Ａｂに係合する部分である。そのため、駆動ベース８６は、ガイド８３Ａによって移動経路が図中のＤ１，Ｄ２方向に規制されるとともに、フック８８Ｂがフランジ部８３Ａｂに係合することによって、ケーシング８３から離脱することが抑制されている。【００８４】
図２０および図２３に示したように、駆動ベース８６は、トーションバネ８９Ａを介して操作体８５に連結されているとともに、コイルバネ８９Ｂを介してケーシング８３の係合部８３Ｂに連結されている。【００８５】
トーションバネ８９Ａは、操作体８５における係合ピン８４Ａから離れた部位において操作体８５に連結されているとともに、リング状部分８９Ａａにおいて駆動ベース８６に固定されている。このトーションバネ８９Ａは、操作体８５に負荷が入力されていない状態において、操作体８５に対して外方に向けた力を作用させるように付勢されている。その一方で、操作体８５に対して内方に向けた負荷が入力された場合には、トーションバネ８９Ａの端部が内方に向けて移動するとともに、トーションバネ８９Ａのリング状部分８９Ａａが図中のＤ２方向に移動する。その結果、駆動ベース８６は、操作体８５に対して内方に向けた負荷が入力された場合にＤ２方向に移動させられる。【００８６】
コイルバネ８９Ｂは、駆動ベース８６をＤ１方向に移動させるためのリターンバネとして機能するものである。このコイルバネ８９Ｂは、操作体８５に対して内方に向けた負荷が入力されて駆動ベース８６がＤ２方向に移動させられたときに縮まされる。その一方で、コイルバネ８９Ｂは、操作体８５へ入力された負荷が解除された場合に、弾発力により駆動ベース８６をＤ１方向に移動させる【００８７】
リンクアーム８７は、駆動ベース８６のＤ１，Ｄ２方向への運動にしたがって、回転体８８を回転させるためのものである。このリンクアーム８７は、貫通孔８７Ａを介して、駆動ベース８６の突起８６Ｃに回転可能に連結されている。【００８８】
回転体８８は、バイオセンサ２′の側面（凹部２Ｂ′）に負荷を作用させ、バイオセンサ２′をＤ１方向に移動させるためのものであり、回転軸８８Ａ、リンク軸８８Ｂおよび接触部８８Ｃを有している。【００８９】
回転軸８８Ａは、回転体８８の回転中心となるものであり、筐体８０（ケーシング８３およびカバー８４）に回転可能に支持されている。【００９０】
リンク軸８８Ｂは、回転体８８とリンクアーム８７とをリンクさせるためのものであり、リンクアーム８７の貫通孔８７Ｂに挿通されている。このリンク軸８８Ｂはさらに、先端部８８Ｂａがケーシング８３のガイド溝８３Ｃに挿入されている。そのため、駆動ベースとともにリンクアーム８７を移動させた場合には、リンク軸８８Ｂがガイド溝８３Ｃに沿って移動する。このようなリンク軸８８Ｂの移動より、回転体８８は、回転軸８８Ａを中心として回転する。【００９１】
接触部８８Ｃは、コネクタ部８１に装着したバイオセンサ２′をＤ１方向に移動させる（廃棄する）ときにバイオセンサ２′の側面（凹部２Ｂ′）に接触する部分である。接触部８８Ｃはまた、コネクタ部８１にバイオセンサ２′を装着し、操作体８５に負荷を入力していない状態では、バイオセンサ２′の凹部２Ｂ′に対応した位置に配置されている。【００９２】
一方、図２１に示したように、血糖値測定装置９に装着して使用するバイオセンサ２′は、使い捨てとして構成されており、全体として平板状の形態に形成されている。このバイオセンサ２′は、基本的に先に説明したバイオセンサ２（図８から図１０参照）に同様な構成とされている。ただし、バイオセンサ２′は、側面２Ｂに設けられた一対の凹部２Ｂ′を有している。凹部２Ｂ′は、廃棄機構８２によってバイオセンサ２′を廃棄するときに、回転体８８の接触部８８Ｃを係合させるためのものである。【００９３】
以上に説明した血糖値測定装置９における血糖値測定動作は、基本的には先に説明した血糖値測定装置１（図１ないし図３など参照参照）と同様である。すなわち、血糖値を測定する場合には、まず血糖値測定装置９にバイオセンサ２′を挿入してコネクタ部８１にバイオセンサ２′を装着する。次いで、バイオセンサ２′に対して血液を供給する。これにより、血糖値測定装置９において、コネクタ部８１によって電圧を印加したときの応答電流に基づいて、血糖値の測定が行なわれる。【００９４】
一方、血糖値測定装置９における廃棄動作は、操作体８５に対して内方に向けた負荷を作用させることにより行なわれる。【００９５】
図２４Ａに示したように、操作体８５に内方に向けた負荷を作用させた場合には、操作体８５が係合ピン８５Ａを中心として回転する。このとき、トーションバネ８９Ａの先端が内方に向けて移動させられるとともに、トーションバネ８９Ａのリング状部分８９ＡａがＤ２方向に移動する。トーションバネ８９Ａのリング状部分８９Ａａは、駆動ベース８６の係合部８３Ｂに固定されているため、リング状部分８９ＡａのＤ２方向への移動により、駆動ベース８６がＤ２方向に移動させられる。この駆動ベース８６には、リンクアーム８７およびコイルバネ８９Ｂが連結されているために、駆動ベース８６のＤ２方向への移動によりリンクアーム８７の全体がＤ２方向に移動するとともに、コイルバネ８９Ｂが縮められる。【００９６】
図２４Ｂに示したように、リンクアーム８７の貫通孔８７Ａに回転体８８のリンク軸８８Ｂが挿通されているため、リンクアーム８７の移動により、リンク軸８８Ｂがガイド溝８３Ｃを移動する。これにより、リンク軸８８Ｂが揺動させられるため、回転体８８が回転軸８８Ａを中心として回転する。このとき、回転体８８の接触部８８Ｃは、Ｄ１方向に沿って回転する。【００９７】
ここで、回転体８８の接触部８８Ｃは、バイオセンサ２′の凹部２Ｂ′に対応した位置に配置されている。そのため、接触部８８ＣがＤ１方向に沿って回転した場合には、接触部８８Ｃがバイオセンサ２′の凹部２Ｂ′に係合し、凹部２Ｂ′を介してバイオセンサ２′に対してＤ１方向へ向けた負荷を作用させる。これにより、バイオセンサ２′はコネクタ部８１から取り外される。【００９８】
そして、図２４Ａから予想できるように、操作体８５に作用している内方への負荷を解除すれば、トーションバネ８９Ａの弾発力によって操作体８５が外方に向けて回転し、元の位置に復帰するとともに、駆動ベース８６がＤ１方向に移動させられて元の位置に復帰する。このとき、駆動ベース８６には、コイルバネ８９Ｂの弾発力も作用するため、駆動ベース８６がＤ１方向への移動は、適切かつスムースも行なわれる。このような操作体８５の回転および駆動ベース８６の移動により、図２４Ｂから予想できるようにリンクアーム８７および回転体８８も元の位置に復帰する。【００９９】
血糖値測定装置８では、廃棄機構８２がコネクタ部８１の下方に配置され、バイオセンサ２′の側面（凹部２Ｂ′）から負荷を入力してバイオセンサ２′を廃棄するように構成されている。そのため、図２７を参照して説明した従来の血糖値測定装置９のように、操作ノブ９２の干渉部９５の移動を許容するためのスリット９７を、コネクタ部４に設ける必要はない。その結果、廃棄機構を備えていない血糖値測定装置における採用されていたコネクタ部を、設計変更することなく、そのまま転用することができる。これにより、設計変更に起因する製造コストの上昇を回避することができる。また、コネクタ部４にスリット９７（図１８参照）を設ける必要がなくなれば、コネクタ部４が設けるためのスペースをコネクタ部４に確保する必要もなくなり、さらには、コネクタ部４の構成要素がスリット９７によってレイアウト上の制約を受けることもないため、コネクタ部４が大型化することを回避することができる。【０１００】
バイオセンサ２′の凹部２Ｂ′の形状は、図示したものには限定されず、他の形状であってもよく、凹部２Ｂ′に代えて凸部として係合部を形成してもよい。また、図２５に示したように、血糖値測定装置８は、側面に凹部２Ｂ′が形成されたバイオセンサ２′に限らず、側面が平坦面とされたバイオセンサ２″についても適用することができる。【０１０１】
本発明に係る分析装置は、バイオセンサなどの分析用具の廃棄時において、廃棄方向とは異なる方向から分析用具に負荷を入力できる構成でさればよく、また平板状以外の形態の分析用具を廃棄する場合にも適用することができる。【０１０２】
次に、本発明の第３の実施の形態について、図２６を参照しつつ説明する。【０１０３】
図２６Ａおよび図２６Ｂに示した分析装置８′は、廃棄機構を備えたものである。この廃棄機構８０′は、可動体８１′を備えている。可動体８１′は、バイオセンサ２を廃棄するときに移動するものであり、操作部８２′、接触部８３′および連結アーム８４′を有している。【０１０４】
操作部８２′は、可動体８１′を移動させるために操作される部分である。接触部８３′は、バイオセンサ２の裏面に接触する部分であり、バイオセンサ２との間の摩擦抵抗によりバイオセンサ８′を移動させるための部分である。この接触部８３′は、挿入口８５′の下部に設けられたガイド８６′に沿ってＤ１，Ｄ２方向に移動するようになされているとともに、コネクタ部８７′にバイオセンサ２が装着されたときに、バイオセンサ２の裏面に密着させられる。連結アーム８４′は、操作部８２′と接触部８３′との間を繋ぐものであり、操作部８２′から入力された負荷を接触部８３′に伝達し、接触部８３′を移動させるものである。【０１０５】
分析装置８′では、コネクタ部８７′にバイオセンサ２を装着することによりバイオセセンサ２の裏面が接触部８３′に密着する。一方、バイオセンサ８′を廃棄する場合には、操作部８２′をＤ１方向に移動させることにより、接触部８２′がＤ１方向に移動させられる。このとき、接触部８′がバイオセンサ２に密着しているので、バイオセンサ２にはＤ１方向に向けた力が作用させられ、バイオセンサ２はＤ１方向に移動させられる。これにより、コネクタ部８７′からバイオセンサ２が離脱し、バイオセンサ２を廃棄可能な状態とされる。【０１０６】
先の実施の形態においては、電気化学的手法により血糖値を測定するように構成された分析装置を例にとって説明したが、本発明は、試料として血液以外のものを使用する分析装置、グルコース以外の成分を測定するように構成された分析装置、あるいは光学的手法により試料の分析を行なうように構成された分析装置に対しても適用することができる。【０１０７】
先に説明した廃棄機構５を、光学的手法を利用した分析装置に採用した場合には、図１８を参照して説明した従来の血糖値測定装置９のように、筐体９８に対して、操作ノブ９２における干渉部９５の移動を許容するためのスリット９９を設ける必要がない。そのため、筐体９８のスリット９８を介して装置内部に外部光が入射するといった事態が生じず、測光機構での測光結果が外部光によって影響を受ける虞が低減し、適切な測光を行なうことが可能となる。また、スリット９８を介しての外部光の入射を制限するための手段を設ける必要がなくなるために、製造コスト上昇および装置の大型化を抑制できるようになる。
【図１】
2007083773.tif 000003
【図２】
2007083773.tif 000004
【図３】
2007083773.tif 000005
【図４】
2007083773.tif 000006
【図５】
2007083773.tif 000007
【図６】
2007083773.tif 000008
【図７】
2007083773.tif 000009
【図８】
2007083773.tif 000010
【図９】
2007083773.tif 000011
【図１０】
2007083773.tif 000012
【図１１】
2007083773.tif 000013
【図１２】
2007083773.tif 000014
【図１３】
2007083773.tif 000015
【図１４】
2007083773.tif 000016
【図１５】
2007083773.tif 000017
【図１６】
2007083773.tif 000018
【図１７】
2007083773.tif 000019
【図１８】
2007083773.tif 000020
【図１９】
2007083773.tif 000021
【図２０】
2007083773.tif 000022
【図２１】
2007083773.tif 000023
【図２２】
2007083773.tif 000024
【図２３】
2007083773.tif 000025
【図２４】
2007083773.tif 000026
【図２５】
2007083773.tif 000027
【図２６】
2007083773.tif 000028
【図２７】
2007083773.tif 000029
【国際調査報告】
2007083773.tif 000030
2007083773.tif 000031
2007083773.tif 000032
2007083773.tif 000033
2007083773.tif 000034
2007083773.tif 000035
2007083773.tif 000036